【事件の表示】
　特願２００２−２４５４８３「表示パネルの駆動装置」拒絶査定不服審判事件〔平成１６年　３月１８日出願公開、特開２００４−　８５８０６〕について、次のとおり審決する。
【結　論】
　本件審判の請求は、成り立たない。
【理　由】
第１　手続の経緯
　本願は、平成１４年８月２６日の出願であって、平成１７年５月１７日付け（発送日同月２４日）で拒絶査定がなされ、これに対し、同年６月２３日に拒絶査定に対する審判請求がなされるとともに、同日付けで手続補正がなされたものである。
　
第２　平成１７年６月２３日付けの手続補正についての補正却下の決定
１　補正却下の決定の結論
　平成１７年６月２３日付けの手続補正（以下、「本件補正」という。）を却下する。
　
２　理由
（１）補正の内容
　本件補正は、補正前の特許請求の範囲である、
「【請求項１】赤、緑、青のデジタルデータを入力し各色の表示素子の発光特性の相違を赤用、緑用、青用のそれぞれｍ種類の階調電圧を用いて補正し表示パネルのデータ線の駆動電圧を生成して出力する駆動装置において、
高電圧側の第１の電源と低電圧側の第２の電源との間に複数の抵抗が直列に接続され前記抵抗の各接続点に対応して前記ｍよりも大きいｎ個の基準電圧端子が設けられた電圧発生手段と、
前記ｎ個の基準電圧端子から入力する基準電圧の中からｍ種類の赤用階調電圧、ｍ種類の緑用階調電圧、ｍ種類の青用階調電圧を、赤、緑、青の発光特性に合わせて、赤、緑、青の駆動電圧を色毎にガンマ補正を実施すべく、夫々選択して出力する電圧選択手段とを備えることを特徴とする表示パネルの駆動装置。
【請求項２】前記電圧発生手段に含まれる複数の抵抗が同一の抵抗値を有することを特徴とする請求項１に記載の表示パネルの駆動装置。
【請求項３】前記電圧選択手段は、
第１の方向に設けられ前記電圧発生手段に接続されたｎ本の基準電圧入力線と、前記第１の方向と直交する第２の方向に設けられたｍ本の赤用階調電圧出力線、ｍ本の緑用階調電圧出力線およびｍ本の青用階調電圧出力線と、前記第１の方向の配線と前記第２の方向の配線との交点に設けられ、それぞれの赤用階調電圧出力線に対しｎ本の基準電圧入力線のうちの１本と選択的に接続しそれぞれの緑用階調電圧出力線に対しｎ本の基準電圧入力線のうちの１本と選択的に接続しそれぞれの青用階調電圧出力線に対しｎ本の基準電圧入力線のうちの１本と選択的に接続する接続手段を備えることを特徴とする請求項１に記載の表示パネルの駆動装置。
【請求項４】前記接続手段は、第１の方向の配線と第２の方向の配線との交点に設けられ該配線間を接続するビアであることを特徴とする請求項３に記載の表示パネルの駆動装置。
【請求項５】前記接続手段は、第１の方向の配線と第２の方向の配線との交点に設けられたスイッチと、それぞれの赤用階調電圧出力線に対し該赤用階調電圧出力線に接続されたｎ個のスイッチのうち１個を選択して導通させ、それぞれの緑用階調電圧出力線に対し該緑用階調電圧出力線に接続されたｎ個のスイッチのうち１個を選択して導通させ、それぞれの青用階調電圧出力線に対し該青用階調電圧出力線に接続されたｎ個のスイッチのうち１個を選択して導通させるように制御するスイッチ制御回路とからなることを特徴とする請求項３に記載の表示パネルの駆動装置。
【請求項６】赤、緑、青のデジタルデータを入力し各色の表示素子の発光特性の相違を赤用、緑用、青用のそれぞれｍ種類の階調電圧を用いて補正し表示パネルのデータ線の駆動電圧を生成して出力する駆動装置において、
高電圧側の第１の電源と低電圧側の第２の電源との間に複数の抵抗が直列に接続され前記抵抗の各接続点に対応して前記ｍよりも大きいｎ個の基準電圧端子が設けられた電圧発生手段と、
前記ｎ個の基準電圧端子から入力する基準電圧の中からｍ種類の赤用階調電圧、ｍ種類の緑用階調電圧、ｍ種類の青用階調電圧を、赤、緑、青の発光特性に合わせて、赤、緑、青の駆動電圧を色毎にガンマ補正を実施すべく、それぞれ選択して出力する電圧選択手段と、デジタル入力データに基づいてｍ種類の前記赤用階調電圧からひとつを選択して出力する赤用デジタルアナログコンバータ、ｍ種類の前記緑用階調電圧からひとつを選択して出力する緑用デジタルアナログコンバータおよびｍ種類の前記青用階調電圧からひとつを選択して出力する青用デジタルアナログコンバータとを備えることを特徴とする表示パネルの駆動装置。
【請求項７】前記電圧選択手段は、前記赤用デジタルアナログコンバータ毎に対応して設けられｎ種類の基準電圧の中から選択されたｍ種類の赤用階調電圧を供給する赤用の電圧選択手段と、前記緑用デジタルアナログコンバータ毎に対応して設けられ前記ｎ種類の基準電圧の中から選択されたｍ種類の緑用階調電圧を供給する緑用の電圧選択手段と、前記青用デジタルアナログコンバータ毎に対応して設けられ前記ｎ種類の基準電圧の中から選択されたｍ種類の青用階調電圧を供給する青用の電圧選択手段とを有することを特徴とする請求項６に記載の表示パネルの駆動装置。
【請求項８】　前記スイッチ制御回路は、スイッチ設定信号を入力し、前記スイッチ設定信号に基づいて前記スイッチの開閉を制御し、前記ガンマ補正の特性を変更することを特徴とする請求項５記載の表示パネルの駆動装置。」
 
を、補正後の特許請求の範囲である
 
「【請求項１】赤、緑、青のデジタルデータを入力し各色の表示素子の発光特性の相違を赤用、緑用、青用のそれぞれｍ種類の階調電圧を用いて補正し表示パネルのデータ線の駆動電圧を生成して出力する駆動装置において、
高電圧側の第１の電源と低電圧側の第２の電源との間に複数の抵抗が
ガンマ補正特性を有さない状態で
前記ｎ個の基準電圧端子から入力する基準電圧の中からｍ種類の赤用階調電圧、ｍ種類の緑用階調電圧、ｍ種類の青用階調電圧を、赤、緑、青の発光特性に合わせて、赤、緑、青の駆動電圧を色毎にガンマ補正を実施すべく夫々選択して
同時に
【請求項２】前記電圧発生手段に含まれる複数の抵抗が同一の抵抗値を有することを特徴とする請求項１に記載の表示パネルの駆動装置。
【請求項３】前記電圧選択手段は、
第１の方向に設けられ前記電圧発生手段に接続されたｎ本の基準電圧入力線と、前記第１の方向と直交する第２の方向に設けられたｍ本の赤用階調電圧出力線、ｍ本の緑用階調電圧出力線およびｍ本の青用階調電圧出力線と、前記第１の方向の配線と前記第２の方向の配線との交点に設けられ、それぞれの赤用階調電圧出力線に対しｎ本の基準電圧入力線のうちの１本と選択的に接続しそれぞれの緑用階調電圧出力線に対しｎ本の基準電圧入力線のうちの１本と選択的に接続しそれぞれの青用階調電圧出力線に対しｎ本の基準電圧入力線のうちの１本と選択的に接続する接続手段を備えることを特徴とする請求項１に記載の表示パネルの駆動装置。
【請求項４】前記接続手段は、第１の方向の配線と第２の方向の配線との交点に設けられ該配線間を接続するビアであることを特徴とする請求項３に記載の表示パネルの駆動装置。
【請求項５】前記接続手段は、第１の方向の配線と第２の方向の配線との交点に設けられたスイッチと、それぞれの赤用階調電圧出力線に対し該赤用階調電圧出力線に接続されたｎ個のスイッチのうち１個を選択して導通させ、それぞれの緑用階調電圧出力線に対し該緑用階調電圧出力線に接続されたｎ個のスイッチのうち１個を選択して導通させ、それぞれの青用階調電圧出力線に対し該青用階調電圧出力線に接続されたｎ個のスイッチのうち１個を選択して導通させるように制御するスイッチ制御回路とからなることを特徴とする請求項３に記載の表示パネルの駆動装置。
【請求項６】赤、緑、青のデジタルデータを入力し各色の表示素子の発光特性の相違を赤用、緑用、青用のそれぞれｍ種類の階調電圧を用いて補正し表示パネルのデータ線の駆動電圧を生成して出力する駆動装置において、
高電圧側の第１の電源と低電圧側の第２の電源との間に複数の抵抗が
ガンマ補正特性を有さない状態で
前記ｎ個の基準電圧端子から入力する基準電圧の中からｍ種類の赤用階調電圧、ｍ種類の緑用階調電圧、ｍ種類の青用階調電圧を、赤、緑、青の発光特性に合わせて、赤、緑、青の駆動電圧を色毎にガンマ補正を実施すべく、それぞれ選択して
同時に
する緑用デジタルアナログコンバータおよびｍ種類の前記青用階調電圧からひとつを選択して出力する青用デジタルアナログコンバータとを備えることを特徴とする表示パネルの駆動装置。
【請求項７】前記電圧選択手段は、前記赤用デジタルアナログコンバータ毎に対応して設けられｎ種類の基準電圧の中から選択されたｍ種類の赤用階調電圧を供給する赤用の電圧選択手段と、前記緑用デジタルアナログコンバータ毎に対応して設けられ前記ｎ種類の基準電圧の中から選択されたｍ種類の緑用階調電圧を供給する緑用の電圧選択手段と、前記青用デジタルアナログコンバータ毎に対応して設けられ前記ｎ種類の基準電圧の中から選択されたｍ種類の青用階調電圧を供給する青用の電圧選択手段とを有することを特徴とする請求項６に記載の表示パネルの駆動装置。
【請求項８】前記スイッチ制御回路は、スイッチ設定信号を入力し、前記スイッチ設定信号に基づいて前記スイッチの開閉を制御し、前記ガンマ補正の特性を変更することを特徴とする請求項５記載の表示パネルの駆動装置。」
と補正するものである。（なお、下線は、補正箇所を示すために請求人が付したものである。）
　
（２）本件補正の適否について
　本件補正は、補正前の請求項１及び請求項６に記載した発明を特定するために必要な事項である「複数の抵抗が直列に接続され」を「複数の抵抗がガンマ補正特性を有さない状態で直列に接続され」と限定し、「選択して出力する」を「選択して同時に出力する」と限定するものであるから平成１８年改正前特許法第１７条の２第４項第２号に規定する特許請求の範囲の減縮を目的とするものである。
　そこで、本件補正後における特許請求の範囲の請求項１に記載されている事項により特定される発明（以下、「本件補正発明１」という。）が特許出願の際独立して特許を受けることができるものであるか（平成１８年改正前特許法第１７条の２第５項において準用する同法第１２６条第５項に規定する要件を満たすか）否かについて以下に検討する。
　
（３）本件補正発明
　本件補正発明１を改めて記載すると次のとおりである。
「【請求項１】赤、緑、青のデジタルデータを入力し各色の表示素子の発光特性の相違を赤用、緑用、青用のそれぞれｍ種類の階調電圧を用いて補正し表示パネルのデータ線の駆動電圧を生成して出力する駆動装置において、
高電圧側の第１の電源と低電圧側の第２の電源との間に複数の抵抗がガンマ補正特性を有さない状態で直列に接続され前記抵抗の各接続点に対応して前記ｍよりも大きいｎ個の基準電圧端子が設けられた電圧発生手段と、
前記ｎ個の基準電圧端子から入力する基準電圧の中からｍ種類の赤用階調電圧、ｍ種類の緑用階調電圧、ｍ種類の青用階調電圧を、赤、緑、青の発光特性に合わせて、赤、緑、青の駆動電圧を色毎にガンマ補正を実施すべく夫々選択して同時に出力する電圧選択手段とを備えることを特徴とする表示パネルの駆動装置。」
　
（４）引用刊行物
ア　原査定の拒絶の理由に引用された、本願出願前に頒布された刊行物である特開２００２−８２６４５号公報（公開日、平成１４年３月２２日。以下、「引用刊行物１」という。）には、図面とともに以下の技術事項が記載されている。
　
（ア−ａ）「【請求項１】 階調レベルの入力データに対して、複数の基準電圧レベルによって構成された基準電圧群から、該当する基準電圧レベルをそれぞれ選択し、その選択された各電圧をデータ線にそれぞれ出力する列電極駆動回路であって、所定の階調レベルの範囲において、第１の色、第２の色、第３の色の各色の同一階調レベルの入力データに対して、第１の色、第２の色、第３の色の各色毎に選択される基準電圧レベルがそれぞれ異なるとともに、該階調レベルの範囲において、第１の色、第２の色、第３の色の各色の同一階調レベルの入力データに対して、異なって選択される各基準電圧レベルが、他色の異なる階調レベルの入力データによって選択される基準電圧レベルに共用されていることを特徴とする画像表示装置の列電極駆動回路。
【請求項２】  前記第１の色、第２の色、第３の色の各色の同一階調レベルに対するそれぞれの基準電圧レベルは、第２の色に対する基準電圧レベルを基準として、第１の色と第３の色に対する基準電圧レベルが所定の階調レベル数だけそれぞれずれているとともに、補間のために、そのずれた基準電圧レベルの階調レベル数分だけ第１の色および第３の色の階調レベル数がそれぞれ増加するように、増加した階調レベル数分だけ基準電圧レベルが増設されている請求項１に記載の画像表示装置の列電極駆動回路。
【請求項３】  前記第１の色、第２の色、第３の色のの各単色での各階調レベルにて表示した時の輝度値を、第１の色、第２の色、第３の色の各単色表示時の輝度の最大値である第１ｍａｘ、第２ｍａｘ、第３ｍａｘによって、それぞれ正規化した階調レベル−輝度特性に一致する階調レベルになるように、前記基準電圧群の各基準電圧レベルがそれぞれ設定されている請求項１または請求項２に記載の画像表示装置の列電極駆動回路。
【請求項４】  前記第１の色、第２の色および第３の色は、それぞれＲｅｄ（赤）、Ｇｒｅｅｎ（緑）、Ｂｌｕｅ（青）である、請求項１に記載の画像表示装置の列電極駆動回路。」（特許請求の範囲）
　
（ア−ｂ）「【０００１】【発明の属する技術分野】本発明は、文字、映像等の画像を表示する画像表示装置の列電極駆動回路及びそれを用いた画像表示装置に関する。」（段落【０００１】）
　
（ア−ｃ）「【０００３】図３は、従来のカラー液晶表示パネルのソースドライバＩＣ１の内部の構成を示すブロック図である。ソースドライバＩＣ１は、出力数が３８４になっており、シフトレジスタ２と、サンプリングメモリ３と、ホールドメモリ４と、Ｄ／Ａコンバータ５と、出力回路６と、基準電圧発生回路７とを有している。・・・【０００７】Ｄ／Ａコンバータ５は、基準電圧発生回路７によって発生される６ビット相当の６４レベルの各電圧がそれぞれ与えられる６４本の基準電圧配線と各基準電圧配線毎にそれぞれ設けられたディジタル／アナログ変換スイッチとを有しており、ホールドメモリ４に記憶された６ビットサンプリングデータであるＲＧＢ各色６ビットデータ信号を、信号レベルに応じて選択し、選択した信号をアナログ信号に変換して出力する。すなわち、Ｄ／Ａコンバータ５は、ＲＧＢ各色６ビットデータ信号レベルに応じて６４レベル毎に設けられた基準電圧配線の一つをディジタル／アナログ変換スイッチによって選択して、アナログ変換した信号を出力回路６に出力する。
【０００８】出力回路６は、Ｄ／Ａコンバータ５によってアナログ変換された信号を、インピーダンス変換して各出力端子に接続されたデータ線に対して駆動電圧として出力する。」（段落【０００３】−【０００８】）
　
（ア−ｄ）「・・・液晶表示パネルの各電極に印加する電圧の極性を正および負に交互に変化させる交流駆動が採用される。しかし、この場合には、前述の６ビット相当の６４レベルの基準電圧配線が、正極性電圧側配線と負極性電圧側配線との２種類を設ける必要があり、基準電圧配線は、１２８本となる。ここでは、説明を簡略化するため片側のみの６４レベル（６４本）の基準電圧配線について説明する。」（段落【０００９】）
　
（ア−ｅ）「【００１０】各基準電圧配線に与えられる基準電圧レベルは、基本的には低電圧側基準電源ＶＬと高電圧側基準電源ＶＨとの電源の入力端子間を抵抗分割して作成する。６４本の基準電圧レベル配線に対して、それぞれ与えられる６４個の基準電圧レベルは、ＶＬ〜ＶＨ間に６３個の抵抗を設けることによって生成される。
【００１１】図４は、６４本の基準電圧配線が設けられた基準電圧発生回路７を有するソースドライバＩＣ１のチップレイアウトを示す。このソースドライバＩＣ１では、横長の長方形状をしたＩＣチップの長辺側に３８４本のデータ線が平行に接続された出力回路６が設けられており、出力回路６の前段部に設けられたＤ／Ａコンバータ５に、６４本の基準電圧配線が配置されている。
【００１２】Ｄ／Ａコンバータ５に設けられた基準電圧配線は、図５に示すように、ホールドメモリ４に記憶されている各階調を表すＲＧＢ各色６ビットデータ信号に対応する基準電圧レベルが、Ｒｅｄ（赤）、Ｇｒｅｅｎ（緑）、Ｂｌｕｅ（青）の各色のデータに対して同一になっている。したがって、液晶表示パネルの多階調化のために、一階調増える毎に、増加する基準電圧レベルの配線数は、１本である。基準電圧配線数がＩＣチップ内で大きな面積を占めてＩＣチップ面積が大きく増大するおそれがあるために、ＲＧＢの各色それぞれに対して３本の基準電圧配線を増加させるようなことは通常行われていない。」（段落【００１０】−【００１２】）
　
（ア−ｆ）「【００１３】【発明が解決しようとする課題】しかしながら、このように、各基準電圧配線に対して、ＲＧＢ各データの各階調に対して同一の電圧を与える構成では、電圧駆動型の表示素子の印加電圧−輝度（液晶では透過率）特性が、Ｒｅｄ（赤）、Ｇｒｅｅｎ（緑）、Ｂｌｕｅ（青）の各色で一致していない場合には、無彩色の表示画面の明るさを明から暗に変化させると、本来一定である色度値が、表示画面の輝度変化に伴って変動するという問題が起る。
【００１４】液晶表示装置では、表示画面の白色色度は、例えば、図６に示すように、画面輝度が明から暗に変化するに伴い青色側に移動する。これは、Ｒｅｄ（赤）、Ｇｒｅｅｎ（緑）、Ｂｌｕｅ（青）の各色において階調レベル−輝度特性が異なるために起る現象である。
【００１５】図７は、横軸に液晶表示装置の入力データであるＲＧＢ各色の６ビットデータの階調レベル１(暗)〜レベル６４(明)を横軸にプロットして、縦軸にＲＧＢ各色の輝度をプロットしたものである。図７において、縦軸の輝度は、入力データであるＲＧＢ各色の６ビットデータレベルが６４（最大明度）の場合を１００％として正規化して表示している（単位％）。図７より、ＲＧＢ各色の６ビットデータレベルに対応するＲＧＢ各色の輝度値は、一致していないことが判る。このＲＧＢ各色の輝度値を一致させることは、画像表示装置の色表示の性能向上に必要不可欠なことである。」（段落【００１３】−【００１５】）
　
（ア−ｇ）「【００１６】また、列電極駆動回路において、基準電圧レベルおよび基準電圧配線をＲＧＢ各色それぞれに独立して設けることによって、６ビットデータのビット補正を行えばよいが、この場合には、６４本であった基準電圧配線がＲＧＢ各色それぞれに独立して設けることによって３倍の１９２本に増加し、ＩＣチップ面積が大きくなり列電極駆動回路を安価に製造できないおそれがある。」（段落【００１６】）
　
（ア−ｈ）「【００１９】【課題を解決するための手段】本発明の画像表示装置の列電極駆動回路は、階調レベルの入力データに対して、複数の基準電圧レベルによって構成された基準電圧群から、該当する基準電圧レベルをそれぞれ選択し、その選択された各電圧をデータ線にそれぞれ出力する列電極駆動回路であって、所定の階調レベルの範囲において、第１の色、第２の色、第３の色の各色の同一階調レベルの入力データに対して、第１の色、第２の色、第３の色の各色毎に選択される基準電圧レベルがそれぞれ異なるとともに、該階調レベルの範囲において、第１の色、第２の色、第３の色の各色の同一階調レベルの入力データに対して、異なって選択される各基準電圧レベルが、他色の異なる階調レベルの入力データによって選択される基準電圧レベルに共用されていることを特徴とする。
【００２０】前記第１の色、第２の色、第３の色の各色の同一階調レベルに対するそれぞれの基準電圧レベルは、第２の色に対する基準電圧レベルを基準として、第１の色と第３の色に対する基準電圧レベルが所定の階調レベル数だけそれぞれずれているとともに、補間のために、そのずれた基準電圧レベルの階調レベル数分だけ第１の色および第３の色の階調レベル数がそれぞれ増加するように、増加した階調レベル数分だけ基準電圧レベルが増設されている。
【００２１】前記第１の色、第２の色、第３の色の各単色での各階調レベルにて表示した時の輝度値を、第１の色、第２の色、第３の色の各単色表示時の輝度の最大値である第１ｍａｘ、第２ｍａｘ、第３ｍａｘによって、それぞれ正規化した階調レベル−輝度特性に一致する階調レベルになるように、前記基準電圧群の各基準電圧レベルがそれぞれ設定されている。
【００２２】前記第１の色、第２の色および第３の色は、それぞれＲｅｄ（赤）、Ｇｒｅｅｎ（緑）、Ｂｌｕｅ（青）であってもよい。
・・・【００２５】本発明の列電極駆動回路を有する画像表示装置では、階調レベルの白および黒領域を除いた範囲においては、第１の色、第２の色、第３の色の同一階調レベルに対して、各色毎に選択された異なる基準電圧レベルが印加されることにより、第１の色、第２の色、第３の色の輝度を一致させることができる。
【００２６】また、第１の色、第２の色、第３の色の各色の階調レベルにおいて第１の色、第３の色の階調レベルに対応する基準電圧レベルを第３の色の階調レベルに対してずらしても、ずれた基準電圧レベルを補間する基準電圧レベルを増設することにより、ずれの広がった部分においても一定の階調レベルとすることができる。
【００２７】さらに、第１の色、第２の色、第３の色の各単色での各階調レベルにて表示した時の輝度値が、各単色表示時の輝度の最大値である第１ｍａｘ、第２ｍａｘ、第３ｍａｘによって、正規化した階調レベル−輝度特性に一致する階調レベルになるように、基準電圧レベルが設定されることにより、階調レベルが変化しても色度変化が低減される。」（段落【００１９】−【００２７】）
　
（ア−ｉ）「【００２８】【発明の実施の形態】・・・【００２９】まず、本発明の列電極駆動回路におけるビット補正の原理を図２に示すグラフに基づいて説明する。図２は、液晶表示パネルにおけるＲＧＢ各色の輝度値と階調レベルとの関係を示している。図２において、横軸の任意の６ビットデータの階調レベルに対応するＲｅｄ（赤）、Ｇｒｅｅｎ（緑）、Ｂｌｕｅ（青）の輝度値の不一致に着目すると、Ｇｒｅｅｎ（緑）の輝度値を基準として、Ｒｅｄ（赤）とＢｌｕｅ（青）との輝度値は、Ｂｌｕｅ（青）では、暗側に１階調レベル分だけずれており、Ｒｅｄ（赤）では、明側に２階調レベル分だけずれている。このため、Ｂｌｕｅ（青）の輝度値をＧｒｅｅｎ（緑）の輝度値と一致させるために、Ｂｌｕｅ（青）の階調レベルをＧｒｅｅｎ（緑）の階調レベルに対して１段階暗側にずらせばよく、また、Ｒｅｄ（赤）の輝度値をＧｒｅｅｎ（緑）の輝度値と一致させるために、Ｒｅｄ（赤）の階調レベルをＧｒｅｅｎ（緑）の階調レベルに対して２段階明側にずらせばよい。」（段落【００２８】−【００２９】）
　
（ア−ｊ）「【００３０】図１は、本発明の実施形態である列電極駆動回路内のＲＧＢ各色の輝度値を一致させるためのビット補正が行われたソースドライバＩＣ１０のチップレイアウトを示す。
【００３１】ホールドメモリ４０は、サンプリングメモリ（図示せず）が記憶している６ビットサンプリングデータを、信号制御回路（図示せず）からのデータ転送信号ＬＳによって転送されるようになっており、転送された６ビットサンプリングデータを記憶する。
【００３２】Ｄ／Ａコンバータ５０は、基準電圧発生回路７０によって発生されるＲＧＢそれぞれ６ビット相当の６４基準電圧レベルに対して（６４＋３）基準電圧レベルによって構成された基準電圧群の各基準電圧レベルがそれぞれ与えられる６４本の基準電圧配線Ｌ１〜Ｌ６４および３本の補間電圧配線Ｈ１〜Ｈ３と各基準電圧配線Ｌ１〜Ｌ６４および補間電圧配線Ｈ１〜Ｈ３毎に設けられたディジタル／アナログ変換スイッチとを有しており、ホールドメモリ４０に記憶された６ビットサンプリングデータであるＲＧＢ各色６ビットデータ信号の階調レベルに応じて基準電圧レベルを選択し、選択した基準電圧レベルに基づいてアナログ信号に変換して出力する。すなわち、Ｄ／Ａコンバータ５０は、ビット補正されたＲＧＢ各色６ビットデータ信号の階調レベルに応じて（６４＋３）基準電圧レベル毎に設けられた基準電圧配線の一つをディジタル／アナログ変換スイッチによって選択して、アナログ変換した基準電圧レベルの信号を出力回路６０に出力する。
【００３３】出力回路６０は、Ｄ／Ａコンバータ５０によってアナログ変換された信号を、インピーダンス変換して各出力端子に接続されたデータ線に対して駆動電圧として出力する。
【００３４】基準電圧発生回路７０には、従来の６４本の基準電圧配線と同様の基準電圧レベルがそれぞれ印加される６４本の基準電圧配線Ｌ１〜Ｌ６４が高電圧（ＶＨ）側から低電圧（ＶＬ）側に順番に配置されている。そして、高電圧側の基準電圧配線Ｌ１とＬ２との間に、一対の補間電圧配線Ｈ１およびＨ２が設けられるとともに、低電圧側の基準電圧配線Ｌ６３とＬ６４との間に、補間電圧配線Ｈ３が設けられている。
【００３５】高電圧側のＨ１およびＨ２は、Ｌ１およびＬ２にそれぞれ印加される電圧間の電位差を抵抗分圧して得られる電圧がそれぞれ印加されるようになっている。また、低電圧側のＨ３は、Ｌ６３およびＬ６４にそれぞれ印加される電圧の平均電圧が印加されるようになっている。
【００３６】基準電圧配線Ｌ１〜Ｌ６４は、Ｇｒｅｅｎ（緑）の階調レベル１〜６４に対して、それぞれ選択されるが、Ｒｅｄ（赤）の階調レベル１〜６４に対しては、高電圧（ＶＨ）側および低電圧（ＶＬ）側の基準電圧配線Ｌ１およびＬ６４以外は、Ｇｒｅｅｎ（緑）の階調レベル２〜６３に対して低電圧（ＶＬ）側（明側）に２階調レベル分ずつずれた状態で選択されるように、アナログスイッチ選択回路が設定される。そして、暗側の階調レベル２および３の場合には、補間電圧配線Ｈ２およびＨ３がそれぞれ選択されるようにアナログスイッチ選択回路が設定される。
【００３７】また、基準電圧配線Ｌ１〜Ｌ６４は、Ｇｒｅｅｎ（緑）の階調レベル１〜６４に対して、それぞれ選択されるが、Ｂｌｕｅ（青）の階調レベル１〜６４に対しては、高電圧（ＶＨ）側および低電圧（ＶＬ）側の基準電圧配線Ｌ１およびＬ６４以外は、Ｇｒｅｅｎ（緑）の階調レベル２〜６３に対して高電圧（ＶＨ）側（明側）に１階調レベル分ずつずれた状態の基準電圧レベルが選択されるように、アナログスイッチ選択回路が設定される。そして、明側の階調レベル６３の場合には、補間電圧配線Ｈ３が選択されるようにアナログスイッチ選択回路が設定される。
【００３８】このような構成のソースドライバＩＣ１０では、例えば、基準電圧配線Ｌ１〜Ｌ６４は、Ｇｒｅｅｎ（緑）の階調レベル１〜６４に対して、それぞれ選択されるのに対して、Ｒｅｄ（赤）の階調レベル１〜６４に対して＋２階調レベルずつ高電圧側ずれてそれぞれ選択され、Ｂｌｕｅ（青）の階調レベル１〜６４に対して−１階調レベルずつ低電圧側にずれた階調レベルの基準電圧レベルがそれぞれ選択される。
【００３９】したがって、例えば、基準電圧配線Ｌ３３は、Ｇｒｅｅｎ（緑）の階調レベルが３３の場合に選択されるのに対して、Ｒｅｄ（赤）の階調レベルが３５、Ｂｌｕｅ（青）の階調レベルが３１の場合にそれぞれ選択され、Ｒｅｄ（赤）、Ｇｒｅｅｎ（緑）、Ｂｌｕｅ（青）の各階調レベル３５、３３、３１の場合に、それぞれ同一の基準電圧レベルが印加される。その結果、液晶表示パネルにおいて、画像は、ＲＧＢの輝度値が一致した状態で表示される。また、階調レベルの暗側では、２階調レベルずれたＲｅｄ（赤）の階調を補正するために一対の補間電圧配線Ｈ１およびＨ２が設けられており、階調レベルの明側では、１階調レベルずれたＢｌｕｅ（青）の階調を補正するために１本の補間電圧配線Ｈ３が設けられている。このように、Ｒｅｄ（赤）、Ｂｌｕｅ（青）の階調レベルに対応する基準電圧レベルをＧｒｅｅｎ（緑）の階調レベルに対してずらしても、ずれた基準電圧レベルを各補間電圧配線Ｈ１〜Ｈ３に印加される基準電圧レベルによって、Ｒｅｄ（赤）およびＢｌｕｅ（青）の輝度値が補間されるために、液晶表示パネル全体にわたる総合色再現力が低下するおそれがない。」（段落【００３０】−【００３９】）
　
（ア−ｋ）「【００４０】また、図１では、ＲＧＢ各色の輝度値を一致させるために、Ｇｒｅｅｎ（緑）に対するＲｅｄ（赤）およびＢｌｕｅ（青）の階調レベルのずれ分だけ基準電圧配線を増設して、基準電圧レベルを増設するようにしたが、そのようなずれ分だけに限らず、ずれ分に相当する基準電圧配線数を増設して基準電圧レベルを増加させることも可能である。
【００４１】例えば、基準電圧配線数を６４本から８０本程度に増設しても、Ｇｒｅｅｎ（緑）の輝度値に対応する基準電圧レベルに対して、Ｒｅｄ（赤）およびＢｌｕｅ（青）の各基準電圧レベルを任意の階調レベル数だけ階調レベル補正を行うことによりＲＧＢ各色の輝度値をさらに高精度で一致させることができる。したがって、ＲＧＢ各色それぞれの輝度値に対応させて、独立して基準電圧配線をそれぞれ設ける構成よりも、基準電圧レベルが印加される基準電圧配線の本数を少なくすることができ、したがって、ＩＣチップ面積を十分に小さくすることができる。尚、基準電圧配線を増設する場所は、画像表示装置の特性に基づいて最適な箇所に配線すればよい。」（段落【００４０】−【００４１】）
　
（ア−ｍ）「【００４２】また、本発明の画像表示装置では、列電極駆動回路において、Ｒｅｄ（赤）、Ｇｒｅｅｎ（緑）、Ｂｌｕｅ（青）の単色での輝度の最大値をそれぞれＲｍａｘ、Ｇｍａｘ、Ｂｍａｘとすると、Ｒｅｄ（赤）、Ｇｒｅｅｎ（緑）、Ｂｌｕｅ（青）の単色での各階調レベルの輝度値を、Ｒｍａｘ、Ｇｍａｘ、Ｂｍａｘでそれぞれ正規化したときの階調レベル−輝度特性に一致する階調レベルになるように、基準電圧発生回路７０内の基準電圧群における各基準電圧レベルを設定してもよい。」（段落【００４２】）
　
（ア−ｎ）「【００４３】尚、本発明の実施形態では、ＴＦＴ液晶表示装置を例示して説明したが、本発明は、この他にもＭＩＭ、単純マトリックス液晶表示装置、ＰＡＬＣ、ＰＤＰ、ＥＬ等のマトリックス型で列電極駆動回路を有する画像表示装置に広く使用することができる。」（段落【００４３】）
　
（ア−ｐ）「【００４５】【発明の効果】以上より、本発明の画像表示装置の列電極駆動回路は、・・・上記３色の総合再現力を低下させることなく、ＩＣチップ面積が増加することを抑制できる。
【００４６】また、本発明の画像表示装置の列電極駆動回路は、・・・基準電圧レベルに共用されていることによって、基準電圧レベルが印加される基準電圧配線を独立して設けるより、基準電圧配線の追加本数を少なくすることができ、したがって、ＩＣチップ面積を十分に小さくすることができる。
【００４７】さらに、本発明の画像表示装置は、列電極駆動回路において、上記３色の各色における各階調レベルの輝度値を、上記３色の各色での輝度の最大値で正規化した階調レベル−輝度特性に一致させることにより、階調レベルを変化させた場合にも色度の変化が低減され、表示画像の輝度変化が起っても、ホワイトバランスが崩れるおそれがない。」（段落【００４５】−【００４７】）
　
　上記摘記事項（ア−ｅ）の「各基準電圧配線に与えられる基準電圧レベルは、・・・入力端子間を抵抗分割して作成する」、「６４本の基準電圧レベル配線に対して、それぞれ与えられる６４個の基準レベルは、ＶＬ〜ＶＨ間に６３個の抵抗を設けることによって生成される」との記載から、当該「６３個の抵抗」は「６４個の基準レベル」に対応した個数であって、これらの抵抗が「直列に接続され」ているものであることは自明である。
　そうすると、上記摘記事項（ア−Ｊ）の「【００３４】基準電圧発生回路７０には、従来の６４本の基準電圧配線と同様の基準電圧レベルがそれぞれ印加される６４本の基準電圧配線Ｌ１〜Ｌ６４が・・・配置されている。そして、高電圧側の基準電圧配線Ｌ１とＬ２との間に、一対の補間電圧配線Ｈ１およびＨ２が設けられるとともに、低電圧側の基準電圧配線Ｌ６３とＬ６４との間に、補間電圧配線Ｈ３が設けられている。【００３５】高電圧側のＨ１およびＨ２は、Ｌ１およびＬ２にそれぞれ印加される電圧間の電位差を抵抗分圧して得られる電圧がそれぞれ印加される・・・。また、低電圧側のＨ３は、Ｌ６３およびＬ６４にそれぞれ印加される電圧の平均電圧が印加される・・・。」との記載からは上記の自明な事項と併せて、
「（６４＋３）基準電圧レベル」に対応し、「６６個」の抵抗が直列に接続され」たものであって、当該直列に接続された６６個の抵抗の両端を含めた６７の接続点に対応して６７本の基準電圧配線及び補間電圧配線が設けられていることが読み取れる。また、上記「６７」は「階調レベル１〜６４」の階調の数である６４よりも大きい数であることも自明である。
　
　したがって、上記摘記事項（ア−ａ）ないし（ア−ｐ）より、引用刊行物１には、次の発明（以下「刊行物１発明」という。）が記載されていると認める。
「ＲＧＢ各色６ビットデータ信号を入力し、各色の電圧駆動型の表示素子の印加電圧−輝度特性の不一致を各色それぞれの階調レベル１〜６４に対応する基準電圧レベルを用いて階調レベル補正し、画像表示装置のデータ線に駆動電圧として出力する列電極駆動回路において、
高電圧側基準電源ＶＨと低電圧側基準電源ＶＬとの間に６６個の抵抗が直列に接続され前記抵抗の各接続点に対応して６４よりも大きい６７本の基準電圧配線及び補間電圧配線とが設けられた基準電圧発生回路７０と、
前記６７本の基準電圧配線及び補間電圧配線に印加される基準電圧の中から１〜６４の赤の階調レベルに対応して選択された基準電圧レベル、１〜６４の緑の階調レベルに対応して選択された基準電圧レベル、１〜６４の青の階調レベルに対応して選択された基準電圧レベルを、各色の電圧駆動型の表示素子の印加電圧−輝度特性に合わせて、各色の駆動電圧を色毎に階調レベル補正を実施すべく色毎にそれぞれ選択して出力するようにアナログスイッチ選択回路を設定する手段とを備えた画像表示装置の列電極駆動回路。」　
　
イ　原査定の拒絶の理由に引用された、本願出願前に頒布された刊行物である特開２００２−２１５１０８号公報（公開日平成１４年７月３１日。以下、「引用刊行物２」という。）には、図面とともに以下の技術事項が記載されている。
　
（イ−ａ）「【請求項４】  行方向に所定間隔で設けられた複数本の走査電極と列方向に所定間隔で設けられた複数本のデータ電極との各交点にそれぞれ液晶セルが配列された液晶ディスプレイの前記複数本の走査電極に走査信号を順次印加するとともに、前記複数本のデータ電極にデータ信号を順次印加して前記液晶ディスプレイを駆動する液晶ディスプレイの駆動回路であって、
１水平同期周期ごと又は１垂直同期周期ごとに反転する極性信号に基づいて、デジタル映像データをそのまま出力するか、あるいは反転して出力するデータラッチと、
前記液晶ディスプレイの正極性の印加電圧に対する透過率特性及び負極性の印加電圧に対する透過率特性に適合するように予め設定された正極性用の複数個の階調電圧及び負極性用の複数個の階調電圧を発生する階調電圧発生回路と、
前記極性信号に基づいて、前記正極性用の複数個の階調電圧又は前記負極性用の複数個の階調電圧のいずれか一方の極性用の複数個の階調電圧を選択する極性選択回路と、
そのままのデジタル映像データ又は反転したデジタル映像データに基づいて、選択した極性用の複数個の階調電圧の中からいずれかの１個の階調電圧を選択する階調電圧選択回路と、
選択された１個の階調電圧を前記データ信号として対応するデータ電極に印加する出力回路とを備えてなることを特徴とする液晶ディスプレイの駆動回路。
【請求項５】  前記階調電圧発生回路は、
同一の抵抗値を有し、縦続接続された複数個の抵抗と、
外部に設けられた階調電源から供給される最高電圧又は内部の電源電圧のいずれか一方を選択的に前記複数個の抵抗の一端に供給する第１のスイッチと、
前記階調電源から供給される最低電圧又は内部の接地電圧のいずれか一方を選択的に前記複数個の抵抗の他端に前記第１のスイッチと連動して供給する第２のスイッチとを備え、
前記複数個の抵抗の隣接する抵抗の接続点のうち、前記正極性用の複数個の階調電圧とすべき電圧を出現している複数個の接続点と、前記負極性用の複数個の階調電圧とすべき電圧を出現している複数個の接続点とが前記極性選択回路の対応する複数個の端子と接続され、
前記第１及び第２のスイッチが前記複数個の抵抗の両端に前記最高電圧及び最低電圧を供給する場合には、前記複数個の抵抗の隣接する抵抗の接続点のうち、いずれかに前記最高電圧と前記最低電圧との中間電圧の少なくとも１個が印加されることを特徴とする請求項４記載の液晶ディスプレイの駆動回路。」（特許請求の範囲）
　
（イ−ｂ）「【０００１】【発明の属する技術分野】この発明は、液晶ディスプレイの駆動方法、その回路及び携帯用電子機器に関し、特に、ノート型、パーム型、ポケット型等のコンピュータ、携帯情報端末（ＰＤＡ：Personal Digital Assistants）、あるいは携帯電話、ＰＨＳ（Personal Handy-phone System）などの携帯用電子機器の表示画面が比較的小さい表示部として用いられる液晶ディスプレイを駆動する液晶ディスプレイの駆動方法、その回路及びこのような液晶ディスプレイの駆動回路を備えた携帯用電子機器に関する。」（段落【０００１】）
　
（イ−ｃ）「【０００２】【従来の技術】図２０は、従来のカラー液晶ディスプレイ１の駆動回路の構成例を示すブロック図である。・・・【０００４】階調電源３は、図２１に示すように、抵抗７１〜７１０と、・・・から構成されている。階調電源３は、ガンマ補正のために設定された階調電圧ＶＩ１〜ＶＩ９を・・・データ電極駆動回路５へ供給する。・・・抵抗７１〜７１０は、各抵抗値が異なり、縦続接続されている。・・・すなわち、階調電源３は、・・・データ駆動回路５へ供給する。・・・【０００８】・・・階調電圧発生回路１７は、図２４に示すように、縦続接続された抵抗２５１〜２５６３から構成されている。抵抗２５１〜２５６３の各抵抗値は、カラー液晶ディスプレイ１の印加電圧−透過率特性に適合するように設定されている。・・・６４個の階調電圧Ｖ１〜Ｖ６４を出力する。」（段落【０００２】−【０００８】）
　
（イ−ｄ）「【００３３】【作用】この発明の構成によれば、表示画面が比較的小さい表示部として用いられる液晶ディスプレイをライン反転駆動方式やフレーム反転駆動方式により駆動する場合に、消費電力の低減、実装面積や実装部品の削減をすることができるとともに、高品質の画質を得ることができる。」（段落【００３３】）
　
（イ−ｅ）「【００３４】【発明の実施の形態】以下、図面を参照して、この発明の実施の形態について説明する。説明は、実施例を用いて具体的に行う。
Ａ．第１の実施例
まず、この発明の第１の実施例について説明する。図１は、この発明の第１の実施例であるカラー液晶ディスプレイ１の駆動回路の構成を示すブロック図である。この図において、図２０の各部に対応する部分には同一の符号を付け、その説明を省略する。・・・この例でも、カラー液晶ディスプレイ１の解像度が１７６×２２０画素であるとするので、そのドット画素数は、５２８×２２０画素となる。・・・【００３５】図２は、データ電極駆動回路３２の構成を示すブロック図である。この図において、図２２の各部に対応する部分には同一の符号を付け、その説明を省略する。・・・【００３６】・・・このように、極性信号ＰＯＬに応じて表示データＰＤ１〜ＰＤ５２８をそのまま出力したり、反転して出力することにより、従来のように、極性信号ＰＯＬに応じて階調電圧ＶＩ〜Ｖ６４の極性を切り換える必要がない。したがって、階調電圧発生回路３５においては、図４に示すように、階調電圧ＶＩ〜Ｖ６４の極性自体は固定している。・・・。」（段落【００３４】−【００３６】）
　
（イ−ｆ）「【００３７】図２に示す階調電圧発生回路３５は、図４に示すように、例えば、２４９個の抵抗４２１〜４２２４９と、ＰチャネルのＭＯＳトランジスタ４３と、ＮチャネルのＭＯＳトランジスタ４４と、インバータ４５とから構成されている。抵抗４２１〜４２２４９は、同一の抵抗値ｒを有し、縦続接続されている。ＭＯＳトランジスタ４３は、ソースに電源電圧ＶＤＤが印加され、ゲートに制御回路５０から供給されるチップセレクト信号ＣＳが印加され、ドレインが抵抗４２１の一端に接続されている。ＭＯＳトランジスタ４４は、ドレインが抵抗４２２４９の一端に接続され、ゲートにインバータ４５の出力信号が印加され、ソースが接地されている。・・・この例の階調電圧発生回路３５は、上記したように、液晶セルの印加電圧−透過率特性が正極性の印加電圧の場合と負極性の印加電圧の場合とで異なることに対応して、極性選択回路３７から正極性用の階調電圧Ｖ１〜Ｖ６４と、負極性用の階調電圧Ｖ１〜Ｖ６４とを出力するために、２５１個もの分圧電圧を出力するように構成されている。・・・。」（段落【００３７】）
　
（イ−ｇ）「【００３８】標準モードの場合、・・・縦続接続された抵抗４２１〜４２２４９の一端に電源電圧ＶＤＤが印加されるとともに、他端が接地され、電源電圧ＶＤＤと接地との間の電圧を抵抗４２１〜４２２４９によって分圧して得られた２５１個の分圧電圧が出力される。したがって、カラー液晶ディスプレイ１の印加電圧−透過率特性が判明した段階で、その特性に適合するように、２５１個の分圧電圧の中から予めいずれの電圧を正極性用の階調電圧Ｖ１〜Ｖ６４及び負極性用の階調電圧Ｖ１〜Ｖ６４として取り出すかを設定しておけば良い。・・・したがって、階調電源を制御回路５０とともにプリント基板に実装してもその実装面積を従来より削減することができる。さらに、この例の階調電圧発生回路３５を有するデータ電極駆動回路４２をＩＣで構成する場合には、抵抗４２１〜４２２４９を形成するためのマスクを共通に使用することができるという汎用性がある。したがって、カラー液晶ディスプレイ１の印加電圧−透過率特性が判明した段階で、いずれの抵抗間の電圧を階調電圧として取り出すかを配線をつなぐことにより設定することができる。また、各抵抗４２１〜４２２４９は、アルミニウムを用いてＩＣの上層のアルミニウム配線層に形成することができるという利点がある。」（段落【００３８】）
　
（イ−ｈ）「【００３９】図２に示す極性選択回路３７は、スイッチ群４６ａ及び４６ｂから構成され、スイッチ切換信号ＳＳＷＰ及びＳＳＷＮに基づいて、１ラインごとに、正極性用の階調電圧Ｖ１〜Ｖ６４と、負極性用の階調電圧Ｖ１〜Ｖ６４とを切り替えて出力する。」（段落【００３９】）
　
（イ−ｉ）「【００４０】図２に示す階調電圧選択回路３６は、図５に示すように、階調電圧選択部３６１〜３６５２８から構成されており、極性選択回路３７から供給される正極性用又は負極性用の階調電圧Ｖ１〜Ｖ６４が各階調電圧選択部３６１〜３６５２８に並列的に供給されている。各階調電圧選択部３６１〜３６５２８は、対応するデジタルの６ビットの表示データＰＤ'１〜ＰＤ'５２８の値に基づいて、６４個の正極性用又は負極性用の階調電圧Ｖ１〜Ｖ６４の中から１個の階調電圧を選択し、出力回路１９の対応する増幅器に供給する。階調電圧選択部３６１〜３６５２８は、・・・対応する階調電圧をデータ赤信号、データ緑信号、あるいはデータ青信号として出力する。・・・出力回路１９は、階調電圧選択回路３６から供給される対応するデータ赤信号、データ緑信号、データ青信号を・・・カラー液晶ディスプレイ１の対応するデータ電極に印加する。・・・。」（段落【００４０】）
　
　すると、上記摘記事項（イ−ａ）ないし（イ−ｉ）より、引用刊行物２には次の発明（以下「刊行物２発明」という。）が記載されていると認められる。
「電源電圧ＶＤＤと接地との間に、抵抗４２１〜４２２４９が、同一の抵抗値ｒを有し、縦続接続されて２５１個の分圧電圧が出力され、カラー液晶ディスプレイの印加電圧−透過率特性に適合するように予めいずれの分圧電圧を階調電圧Ｖ１〜Ｖ６４として取り出すかを配線をつなぐことにより設定して並列的に出力する階調電圧発生回路３５と、前記階調電圧Ｖ１〜Ｖ６４の中から１個の電圧をそれぞれ選択してカラー液晶ディスプレイのデータ電極へ印加するデータ赤信号、データ緑信号、データ青信号として出力する階調電圧選択部３６１〜３６５２８を備えたデータ電極駆動回路３２」
　
（５）　対比
  本件補正発明１と刊行物１発明を対比する。
ア　刊行物１発明の「ＲＧＢ各色６ビットデータ信号」、「各色の電圧駆動型の表示素子」は、
本件補正発明１の「赤、緑、青のデジタルデータ」、「各色の表示素子」にそれぞれ相当している。
イ　刊行物１発明の「印加電圧−輝度特性」、「各色それぞれの階調レベル１〜６４に対応する基準電圧レベル」は、
本件補正発明１の「発光特性」、「赤用、緑用、青用のそれぞれｍ種類の階調電圧」にそれぞれ相当している。
ウ　刊行物１発明の「画像表示装置」、「データ線」、「駆動電圧」、「列電極駆動回路」は、
本件補正発明１の「表示パネル」、「データ線」、「駆動電圧」、「駆動装置」にそれぞれ相当している。
エ　刊行物１発明の「高電圧側基準電源ＶＨ」、「低電圧側基準電源ＶＬ」、「６６個の抵抗」、「基準電圧発生回路７０」は、
本件補正発明１の「高電圧側の第１の電源」、「低電圧側の第２の電源」、、「複数の抵抗」、「電圧発生手段」にそれぞれ相当している。
オ　刊行物１発明の「６４よりも大きい６７本の基準電圧配線及び補間電圧配線」、「１〜６４の赤の階調レベルに対応して選択された基準電圧レベル、１〜６４の緑の階調レベルに対応して選択された基準電圧レベル、１〜６４の青の階調レベルに対応して選択された基準電圧レベル」は、
本件補正発明１の「ｍよりも大きいｎ個の基準電圧端子」、「ｍ種類の赤用階調電圧、ｍ種類の緑用階調電圧、ｍ種類の青用階調電圧」にそれぞれ相当している。
カ　刊行物１発明の「各色の電圧駆動型の表示素子の印加電圧−輝度特性の不一致を各色それぞれの階調レベル１〜６４に対応する基準電圧レベルを用いて階調レベル補正し」における「印加電圧−輝度特性の不一致」、「階調レベル補正」は、
本願補正発明１の「各色の表示素子の発光特性の相違を赤用、緑用、青用のそれぞれｍ種類の階調電圧を用いて補正し」における「発光特性の相違」、「階調電圧を用いて補正」にそれぞれ相当している。
キ　本件補正発明１の「赤、緑、青の発光特性に合わせて、赤、緑、青の駆動電圧を色毎にガンマ補正を実施すべく夫々選択して同時に出力する電圧選択手段」と刊行物1発明の「同時に出力された各色の駆動電圧を色毎に階調レベル補正を実施すべくそれぞれ選択して出力するようにアナログスイッチ選択回路を設定する手段」とは、「赤、緑、青の発光特性に合わせて、赤、緑、青の駆動電圧を色毎に補正を実施すべく夫々基準電圧端子を選択する電圧選択手段」である点において共通している。
　
　すると、本件補正発明１と刊行物１発明とは、次の点で一致し、
［一致点］
「赤、緑、青のデジタルデータを入力し各色の表示素子の発光特性の相違を赤用、緑用、青用のそれぞれｍ種類の階調電圧を用いて補正し表示パネルのデータ線の駆動電圧を生成して出力する駆動装置において、
高電圧側の第１の電源と低電圧側の第２の電源との間に複数の抵抗が直列に接続され前記抵抗の各接続点に対応して前記ｍよりも大きいｎ個の基準電圧端子が設けられた電圧発生手段と、
前記ｎ個の基準電圧端子から入力する基準電圧の中からｍ種類の赤用階調電圧、ｍ種類の緑用階調電圧、ｍ種類の青用階調電圧を、赤、緑、青の発光特性に合わせて、赤、緑、青の発光特性に合わせて、赤、緑、青の駆動電圧を色毎に補正を実施すべく夫々基準電圧端子を選択する電圧選択手段と
を備えることを特徴とする表示パネルの駆動装置。」
　
　次の相違点１、２で相違する。
［相違点１］
電圧発生手段の直列に接続された複数の抵抗が、本件補正発明１は、「ガンマ補正特性を有さない状態で」接続されているのに対して、刊行物１発明は複数の抵抗の抵抗値の関係が明らかではない点。
　
［相違点２］
　電圧選択手段において、色毎に実施される補正内容が、本件補正発明１は「ガンマ補正」であるのに対して、刊行物１発明は「階調補正」である点、及び、色毎に補正を実施すべく「ｎ個の基準電圧端子から入力する基準電圧」の中から、各色用の「ｍ種類の階調電圧」を選択するための手段が、本件補正発明１は、「色毎にｍ種類の階調電圧を選択して同時に出力する」手段であるのに対して、刊行物１発明は「色毎にそれぞれｍ種類の階調電圧から選択するようにアナログスイッチ選択回路を設定する」手段である点。
　
（６）判断
　上記相違点について検討する。
ア　相違点１について
　刊行物２発明の「階調電圧発生回路３５」は本件補正発明１の「電圧発生手段」に相当している。また、刊行物２発明の「抵抗４２１〜４２２４９が、同一の抵抗値ｒを有し」は、「２５１個の分圧電圧」を直線的変化とするものであることが明らかであって、本件補正発明１の「ガンマ補正特性を有さない状態」にあることは明らかである。
　そして、刊行物２発明と刊行物１発明とは、表示素子の特性を階調電圧を用いて補正し駆動電圧を生成して出力する表示パネルの駆動装置という共通の技術分野に属するものであって、かつ、「階調電圧」の生成に直列に接続された複数の抵抗を用いる点でも類似しているから、刊行物１発明に刊行物２発明を適用し、刊行物１発明の電圧発生手段の直列に接続された複数の抵抗を本件補正発明１のごとく「ガンマ補正特性を有さない状態で」接続されたものとすることは当業者が容易に想到できたことである。
　
イ　相違点２について
　刊行物２発明の「カラー液晶ディスプレイの印加電圧−透過率特性に適合するように予めいずれの分圧電圧を階調電圧Ｖ１〜Ｖ６４として取り出すかを配線をつなぐことにより設定して並列的に出力する階調電圧発生回路３５」において、「予めいずれの分圧電圧を階調電圧Ｖ１〜Ｖ６４として取り出すかを配線をつなぐことにより設定して並列的に出力する」ことは、赤用、緑用、青用に選択されるものではないとしても、本件補正発明１の「ｍ種類の階調電圧を選択して同時に出力する」ことに相当している。
　また、引用刊行物の上記摘記事項（イ−ｃ）によれば、「階調電源３は、ガンマ補正のために設定された階調電圧ＶＩ１〜ＶＩ９を・・・データ電極駆動回路５へ供給する・・・印加電圧−透過率特性に適合するように設定されている」を従来技術としていることから、刊行物２発明の「印加電圧−透過率特性」は、「ガンマ特性」に相当するものであることは明らかである。
　
　そして、上記アにおいて説示したように、刊行物１発明に刊行物２発明を適用することに格別の困難性はなく、表示素子の「ガンマ特性」を色毎に補正することは周知技術であるから（例えば、特開２００１−４２８３３号公報（特に【００３３】、【００４６】−【００５１】、図５−７参照。）、特開平１０−１９８３０７号公報（特に【００７０】参照。）参照。）、刊行物１発明の「電圧選択手段」に刊行物２発明及び上記周知技術を適用し、本件補正発明１のごとく「色毎にガンマ補正を実施すべく夫々選択して同時に出力する」構成とすることは当業者が容易に想到できたことである。
　
ウ　本件補正発明１が有する作用効果について
　本件補正発明１が奏する作用効果についても、刊行物１発明、刊行物２発明及び周知技術に基づいて当業者が予測可能な範囲内のものである。
　
エ　したがって、本件補正発明１は、刊行物１発明、刊行物２発明及び周知技術に基づいて当業者が容易に発明をすることができたものであるから、特許法２９条２項の規定により特許出願の際独立して特許を受けることができないものである。
　
（７）むすび
　以上のとおり、本件補正は、平成１８年改正前特許法１７条の２第５項において準用する同法１２６条第５項の規定に違反するものであり、同法第１５９条第１項の規定において読み替えて準用する同法第５３条第１項の規定により却下すべきものである。
　
第３　本願発明について
　平成１７年６月２３日付けの手続補正は、上記のとおり却下されたので、本願の請求項１ないし８に係る発明は、平成１７年１月２７日付けの手続補正書により補正された明細書及び図面の記載からみて、その特許請求の範囲１ないし８に記載された事項により特定されるとおりのものと認められるところ、その請求項１係る発明（以下、「本願第１発明」という。）は、上記「第２」の「２」の「（１）」の本件補正前の特許請求の範囲の請求項１に記載されたとおりのものである。
　
第４　引用刊行物１、２に記載された発明
　原査定の拒絶の理由に引用された引用刊行物１、２及びその記載事項は、上記「第２」の「２」の「（４）」に記載したとおりのものである。
　
第５　対比・判断
　本願第１発明は、本件補正発明１の発明特定事項から、複数の抵抗の直列接続について「ガンマ補正特性を有さない状態で」、電圧選択手段の出力について「同時に」との限定事項を省いたものである。
　そうすると、本願第１発明の発明特定事項をすべて含み、さらに他の限定事項を付加したものに相当する本件補正発明１が前記「第２」の「２」の（５）及び（６）に記載したとおり、刊行物１発明、刊行物２発明及び周知技術に基づいて当業者が容易に発明することができたものであるから、本願第１発明についても、同様の理由により、刊行物１発明、刊行物２発明及び周知技術に基づいて容易に発明をすることができたものであるから、特許法２９条２項の規定により特許を受けることができない。
　
第６　むすび
　以上のとおり、本願の請求項１に係る発明は、刊行物１発明、刊行物２発明及び周知技術に基づいて当業者が容易に発明をすることができたものであるから、特許法２９条２項の規定により特許を受けることができない。
　そして、請求項１に係る発明が特許を受けることができないものであるから、その余の請求項２ないし８に係る発明について検討するまでもなく、本願は拒絶すべきものである。
　よって、結論のとおり審決する。